(57)【要約】  【課題】  照明器具本体に透光カバーを締付ける組付けねじの取扱い操作を楽に行え、しかも、操作中組付けねじを床上に落下させる虞れのないダウンライトの透光カバー組付け装置を提供する。  【解決手段】  天井Ｂａに取付けた、下面開口状の照明器具本体１の開口縁部に設けたねじ穴５に、前記開口縁部に重ね合せた透光カバー２の周縁部に設けたねじ孔８を通じて頭部１０ｃを前記ねじ穴５の縁部に係止した組付けねじ１０の先端ねじ部１０ａを螺合、締付けて、前記透光カバー２を前記照明器具本体１に組付ける。また、前記ねじ孔８とねじ穴５との間に組付けねじ１０の前記先端ねじ部１０ａより長い空室６を設ける。【選択図】    図３
2009104912.tif 000002
【特許請求の範囲】
【請求項１】
天井に取付けた、下面開口状の照明器具本体の開口縁部に設けたねじ穴に、前記開口縁部に重ね合せた透光カバーの周縁部に設けたねじ孔を通じて頭部を前記ねじ穴の縁部に係止した組付けねじの先端ねじ部を螺合、締付けて、前記透光カバーを前記照明器具本体に組付けると共に、前記ねじ孔とねじ穴との間に組付けねじの前記先端ねじ部より長い空室を設けた、ダウンライトの透光カバー組付け装置。
【発明の詳細な説明】
【技術分野】
【０００１】
本発明は、ダウンライト（通常は天井に埋め込まれる小形の照明器具をいうが、ここでは、これに類するものを含む）の透光カバーの組付け装置に関するものである。
【背景技術】
【０００２】
所謂ダウンライトの照明器具本体に透光カバーを組付けるには、組付けねじを、透光カバーを貫通させて本体に螺合、締付ける構造のものがある（例えば、特許文献１）。
【０００３】
【特許文献１】実開平３−１０４１６号公報
【発明の開示】
【発明が解決しようとする課題】
【０００４】
前記従来例は、電灯器等を内蔵した照明器具本体に対する透光カバーの安定した組付け状態を得られ、この意味では不都合はないが、球切れによる電灯の取替え等透光カバーを取外して照明器具本体の開口下面を開放する必要があるときは、ダウンライトの関係上、透光カバーの下側からの操作によって組付けねじを取外す必要がある。そして、その取外しに際し、組付けねじは透光カバー等と別体に構成してあるので、誤操作によって手元から落下させる虞れがあり、また、落下させてねじを紛失する等支承を来たす。
【０００５】
本発明は、このような従来例の欠点を取り除き、組付けねじの取扱い操作を楽に行える、ダウンライトの透光カバー組付け装置を提供することを目的として創案したものである。
【課題を解決するための手段】
【０００６】
天井に取付けた、下面開口状の照明器具本体の開口縁部に設けたねじ穴に、前記開口縁部に重ね合せた透光カバーの周縁部に設けたねじ孔を通じて頭部を前記ねじ穴の縁部に係止した組付けねじの先端ねじ部を螺合、締付けて、前記透光カバーを前記照明器具本体に組付けると共に、前記ねじ孔とねじ穴との間に組付けねじの前記先端ねじ部より長い空室を設けた構成としたものである。
【発明の効果】
【０００７】
本発明の構成によれば、組付けねじを本体側のねじ穴側から外すと、該組付けねじのねじ部は空室内に係合して透光カバー側に設けたねじ孔の縁部に係止して透光カバーからの組付けねじの床面への落下の虞れを避けることができ、ねじ部をねじ穴に螺合する（透光カバーを照明器具本体に組付ける）に際しても、組付けねじ頭部を指先で摘む必要なく、従って、ねじ穴に対する螺合操作を簡単に行え、総じて透光カバーの組付け、組外しを容易に行える、ダウンライトの透光カバー組付け装置を提供できる。
【実施例】
【０００８】
図面は、本発明に係る、ダウンライトの透光カバー組付け装置の一実施例を示し、図１は本発明装置の適用位置を示す略示正面図、図２は図１の一部拡大断面図、図３は図２の一部拡大図、図４は透光カバーと組付けねじの関係を示す断面図、図５は透光カバーの一部の拡大断面図である。
【０００９】
実施例のダウンライトＡは、荷物運搬車Ｃの積荷ボックスＢの天井Ｂａに装置してボックスＢ内を上方から照射するようにしたものであるが、積荷ボックスＢの室内を照らすだけでなく、一般家屋の照明器具として適用しても良いことは勿論である。
【００１０】
ダウンライトＡは、電灯（実施例では蛍光灯）Ｌを内蔵した照明器具本体１と、該本体１の開口下面を塞ぐ透光カバー２とを備えたものである。
【００１１】
照明器具本体１は、下面を開口し、該開口１´を構成する縁部に、開口１´を取り囲む鍔部片１ａを設けた長方形枠体で成るものである。この本体１の、４隅の鍔部片部と、前記長方形枠体の長辺側中央部の鍔部片部には、本体１の奥行方向に向けて短柱状の突出部３を設け、該突出部３の軸線位置に、突出部３側を大径孔とし、前記鍔部片１ａ側を小径孔とする通孔を設け、該通孔の大径孔部にねじ筒材４を嵌着して、該突出部３の軸線上に位置するねじ穴５とし、前記小径孔で構成し、しかも、ねじ穴５より大径な空室形成孔６ａに連通させてある。そして、照明器具本体１は、前記鍔部片１ａの外端部１ａ´を前記天井Ｂａの構成材Ｂａ´に受支させて止着し（止着手段は図示省略）、天井Ｂａ内に埋込んである。
【００１２】
前記透光カバー２は、本体１の前記開口部１´と重なり合う部分をフレネルレンズ体２ａと成し、該レンズ体２ａを取り囲む周端部２ｂの、本体１側に設けた前記空室形成孔６ａ乃至ねじ穴５と一致する部分の表面２ｂ´側に凹入部７を、裏面２ｂ´´側に前記空室形成孔６ａと一致して設けた空室形成孔６ｂを備え、さらに、透光カバー２側の空室形成孔６ｂと凹入部７を、これらと同軸上にして位置するねじ孔８で連通させて構成したものである。
【００１３】
透光カバー２は、本体１の鍔部片１ａの表面側に（突出部３と反対側に）、開口部１´を取り囲むようにして設けた突出壁部９の内側に嵌め込まれ、組付けねじ１０の先端側のねじ部１０ａをねじ孔８を螺通させて、空室形成孔６ｂと６ａを順次経て本体１側のねじ穴５に、頭部１０ｃが凹入部７内に係合する位置まで螺合することにより照明器具本体１に締付けられ、本体１内に内蔵した電灯Ｌその他の機器を保護する。
【００１４】
組付けねじ１０は、頭部１０ｃと先端側のねじ部１０ａとの間に無ねじ部１０ｂを介在させて成り、前記空室形成孔６ａ，６ｂを互いに一致させて形成される空室６の長さはこの組付けねじ１０のねじ部１０ａの長さより長くなるようにしてある。
【００１５】
そして、例えば、電灯Ｌの取替えの際など、照明器具本体１の開口部１´を開放する必要が生じたとき、組付けねじ１０を緩めて本体１側のねじ穴５から離脱させると、該ねじ部１０ａは空室６に係合し透光カバー２のねじ孔８の縁部に係止して落下することなく、カバー２に掛止させられるのである。
【００１６】
なお、空室６は組付けねじ１０を用いて透光カバー２を照明器具本体１に締付けたときに形成され、その長さが本体１側のねじ穴５に螺合するねじ部１０ａより長ければ良いから、該空室６を構成する空室形成孔は、本体１とカバー２のいずれかの一方側にのみ設けても不都合はない。
【００１７】
また、実施例の組付けねじ１０に代えて、所謂タッピングねじを用いても本発明を実施する上に必ずしも不都合はないが、この場合は、本体１とカバー２に該タッピングねじによって雌ねじが形成されるため、本体１等の素材は雌ねじの形成可能な、合成樹脂を用いるべきである。
【図面の簡単な説明】
【００１８】
【図１】本発明装置の適用位置を示す略示正面図。
【図２】図１の一部拡大断面図。
【図３】図２の一部拡大図。
【図４】透光カバーと組付けねじの関係を示す断面図。
【図５】透光カバーの一部の拡大断面図。
【符号の説明】
【００１９】
１          照明器具本体
２          透光カバー
５          ねじ穴
６          空室
８          ねじ孔
１０        組付けねじ
１０ａ      ねじ部
１０ｃ      頭部
【図１】
2009104912.tif 000003
【図２】
2009104912.tif 000004
【図３】
2009104912.tif 000005
【図４】
2009104912.tif 000006
【図５】
2009104912.tif 000007